(57)【要約】【課題】より簡単に、より迅速に、所望の設計一次エネルギー消費量となる、住宅の設備の組み合わせの一式を選択する。【解決手段】住宅の設備の組み合わせの一式と単位温度差あたりの外皮熱損失量、単位日射強度当たりの冷房期間日射熱取得量、および単位日射強度当たりの暖房期間日射熱取得量の値の組み合わせとに対して、基準一次エネルギー消費量と設計一次エネルギー消費量とが求められ、住宅・住戸の設備の組み合わせの一式に対して、単位温度差あたりの外皮熱損失量、単位日射強度当たりの冷房期間日射熱取得量、および単位日射強度当たりの暖房期間日射熱取得量の値を説明変数とし、設計一次エネルギー消費量を目的変数とする回帰モデルが求められる。【選択図】図４
2017134478.tif 000002
【特許請求の範囲】
【請求項１】
ユーザから指定される、住宅の床面積、並びに前記住宅の所在地で定まる省エネルギー基準地域区分および年間日射地域区分を取得する第１の取得ステップと、
前記住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、前記ユーザから指定される範囲の上限値および下限値を取得する第２の取得ステップと、
前記上限値および前記下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成ステップと、
前記ユーザから指定される、エネルギーの消費または生成に影響する前記住宅の設備の一式を示す情報を取得する第３の取得ステップと、
生成された前記組み合わせの中から１つの組み合わせを選択する選択ステップと、
基準一次エネルギー消費量および設計一次エネルギー消費量を算出して住宅の省エネルギー性能を判定する判定プログラムを呼び出して、選択されている前記組み合わせと、前記住宅の床面積、前記省エネルギー基準地域区分、前記年間日射地域区分、および前記住宅の設備の一式を示す情報とを送って、前記組み合わせ、前記住宅の床面積、前記省エネルギー基準地域区分、前記年間日射地域区分、および前記住宅の設備の一式を示す情報から算出される設計一次エネルギー消費量を取得する呼び出しステップと
を含み、
前記選択ステップおよび前記呼び出しステップは、生成された前記組み合わせの数だけ繰り返され、
前記組み合わせを説明変数とし、前記設計一次エネルギー消費量を目標変数とする重回帰分析により、回帰モデルを算出する回帰モデル算出ステップを更に含む回帰モデル算出処理をコンピュータに行わせるプログラム。
【請求項２】
請求項１に記載のプログラムにおいて、
前記呼び出しステップにおいて、前記組み合わせ、前記住宅の床面積、前記省エネルギー基準地域区分、前記年間日射地域区分、および前記住宅の設備の一式を示す情報から算出される前記設計一次エネルギー消費量および基準一次エネルギー消費量が取得される
プログラム。
【請求項３】
請求項１に記載のプログラムにおいて、
前記呼び出しステップにおいて、国立研究開発法人建築研究所から提供される前記判定プログラムが呼び出される
プログラム。
【請求項４】
請求項１に記載のプログラムにおいて、
前記呼び出しステップにおいて、ＡＰＩ（Application Programming Interface）によって前記判定プログラムが呼び出される
プログラム。
【請求項５】
請求項１に記載のプログラムにおいて、
前記第３の取得ステップにおいて、前記住宅の設備の一式を示す情報が複数取得され、
前記選択ステップおよび前記呼び出しステップは、前記住宅の設備の一式を示す情報毎に、生成された前記組み合わせの数だけ繰り返され、
前記回帰モデル算出ステップにおいて、前記住宅の設備の一式を示す情報毎に、前記組み合わせを説明変数とし、前記設計一次エネルギー消費量を目標変数とする重回帰分析により、前記回帰モデルが算出される
プログラム。
【請求項６】
ユーザから指定される、住宅の床面積、並びに前記住宅の所在地で定まる省エネルギー基準地域区分および年間日射地域区分を取得する第１の取得ステップと、
前記住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、前記ユーザから指定される範囲の上限値および下限値を取得する第２の取得ステップと、
前記上限値および前記下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成ステップと、
前記ユーザから指定される、エネルギーの消費または生成に影響する前記住宅の設備の一式を示す情報を取得する第３の取得ステップと、
生成された前記組み合わせの中から１つの組み合わせを選択する選択ステップと、
基準一次エネルギー消費量および設計一次エネルギー消費量を算出して住宅の省エネルギー性能を判定する判定プログラムを呼び出して、選択されている前記組み合わせと、前記住宅の床面積、前記省エネルギー基準地域区分、前記年間日射地域区分、および前記住宅の設備の一式を示す情報とを送って、前記組み合わせ、前記住宅の床面積、前記省エネルギー基準地域区分、前記年間日射地域区分、および前記住宅の設備の一式を示す情報から算出される設計一次エネルギー消費量を取得する呼び出しステップと
を含み、
前記選択ステップおよび前記呼び出しステップは、生成された前記組み合わせの数だけ繰り返され、
前記組み合わせを説明変数とし、前記設計一次エネルギー消費量を目標変数とする重回帰分析により、回帰モデルを算出する回帰モデル算出ステップを更に含む情報処理方法。
【請求項７】
ユーザから指定される、住宅の床面積、並びに前記住宅の所在地で定まる省エネルギー基準地域区分および年間日射地域区分を取得する第１の取得手段と、
前記住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、前記ユーザから指定される範囲の上限値および下限値を取得する第２の取得手段と、
前記上限値および前記下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成手段と、
前記ユーザから指定される、エネルギーの消費または生成に影響する前記住宅の設備の一式を示す情報を取得する第３の取得手段と、
生成された前記組み合わせの中から１つの組み合わせを所定の順に選択する選択手段と、
選択されている組み合わせ毎に、基準一次エネルギー消費量および設計一次エネルギー消費量を算出して住宅の省エネルギー性能を判定する判定プログラムを呼び出して、選択されている前記組み合わせと、前記住宅の床面積、前記省エネルギー基準地域区分、前記年間日射地域区分、および前記住宅の設備の一式を示す情報とを送って、前記組み合わせ、前記住宅の床面積、前記省エネルギー基準地域区分、前記年間日射地域区分、および前記住宅の設備の一式を示す情報から算出される設計一次エネルギー消費量を取得する呼び出し手段と、
前記組み合わせを説明変数とし、前記設計一次エネルギー消費量を目標変数とする重回帰分析により、回帰モデルを算出する回帰モデル算出手段と
を含む情報処理装置。
【発明の詳細な説明】
【技術分野】
【０００１】
本発明はプログラム、情報処理方法および情報処理装置に関し、特に、住宅の省エネルギーの性能の評価に適したプログラム、情報処理方法および情報処理装置に関する。
【背景技術】
【０００２】
住宅において、エネルギーの使用の合理化、いわゆる、省エネルギーが求められている。住宅が所定の省エネルギーの性能を有する場合、行政などから各種の支援または優遇を受けることができる。
【０００３】
「エネルギーの使用の合理化に関する建築主等及び特定建築物の所有者の判断の基準」（平成２５年経済産業省・国土交通省告示第１号）には、一次エネルギー消費量に関する基準が規定されている。長期優良住宅認定制度などによる税制優遇措置を受けるためには、一次エネルギー消費量等級４や一次エネルギー消費量等級５であることが条件の一つであることが多い。一次エネルギー消費量等級４であるためには、省エネ基準での基準一次エネルギー消費量より設計一次エネルギー消費量が小さいことが求められる。また、一次エネルギー消費量等級５であるためには、低炭素基準での基準一次エネルギー消費量より設計一次エネルギー消費量が小さいことが求められる。
【０００４】
従来、住宅の設計を支援する住宅設計支援システムには、省エネルギー性能及び居住快適性を含む住宅性能についてのアドバイス・改善案データを記憶したアドバイス・改善案データ記憶手段と、敷地、及び居住者情報等の住宅設計に必要な情報を含む設計準備情報を入力する設計準備情報入力手段と、入力された設計準備情報に基づいて、アドバイス・改善案データ記憶手段から対応するアドバイス・改善案データを抽出するアドバイス・改善案データ抽出手段と、抽出されたアドバイス・改善案データを表示するアドバイス・改善案表示手段と、を設けたものもある（例えば、特許文献１参照）。
【先行技術文献】
【特許文献】
【０００５】
【特許文献１】特開２０１５−１６２１５０号公報
【発明の概要】
【発明が解決しようとする課題】
【０００６】
基準に従って一次エネルギー消費量を算出するためには、国立研究開発法人建築研究所が提供する住宅・住戸の省エネルギー性能の判定プログラムまたは住宅・住戸の省エネルギー性能の判定プログラムAPI（Application Programming Interface）を利用することが標準的である。このプログラムは床面積などの住宅の基礎情報と冷暖房などの設置する設備の情報を入力として、その住宅の一次エネルギー消費量を算出する。
【０００７】
しかしながら、一組の情報を入力しその住宅の一次エネルギー消費量を得ることは容易であるものの、多くのケースの情報を入力し、様々な冷暖房設備や給湯設備を導入した場合にどのように一次エネルギー消費量が変化するか比較検討するには不向きである。
【０００８】
本発明は、このような状況に鑑みてなされたものであり、設備の組み合わせを複数入力すると、住宅・住戸の省エネルギー性能の判定プログラムAPIを自動で必要な回数だけ呼び出して各々の一次エネルギー消費量を算出し、その設備を導入した場合の設計一次エネルギー消費量の回帰モデルを出力することで、適切な設備の組み合わせの選択を支援することができるようにしたものである。すなわち、より簡単に、より迅速に、所望の設計一次エネルギー消費量となる、住宅の設備の組み合わせの一式を選択できるようにするものである。
【課題を解決するための手段】
【０００９】
本発明の一側面のプログラムは、ユーザから指定される、住宅の床面積、並びに住宅の所在地で定まる省エネルギー基準地域区分および年間日射地域区分を取得する第１の取得ステップと、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する第２の取得ステップと、上限値および下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成ステップと、ユーザから指定される、エネルギーの消費または生成に影響する住宅の設備の一式を示す情報を取得する第３の取得ステップと、生成された組み合わせの中から１つの組み合わせを選択する選択ステップと、基準一次エネルギー消費量および設計一次エネルギー消費量を算出して住宅の省エネルギー性能を判定する判定プログラムを呼び出して、選択されている組み合わせと、住宅の床面積、省エネルギー基準地域区分、年間日射地域区分、および住宅の設備の一式を示す情報とを送って、組み合わせ、住宅の床面積、省エネルギー基準地域区分、年間日射地域区分、および住宅の設備の一式を示す情報から算出される設計一次エネルギー消費量を取得する呼び出しステップとを含み、選択ステップおよび呼び出しステップは、生成された組み合わせの数だけ繰り返され、組み合わせを説明変数とし、設計一次エネルギー消費量を目標変数とする重回帰分析により、回帰モデルを算出する回帰モデル算出ステップを更に含む回帰モデル算出処理をコンピュータに行わせる。
【００１０】
エネルギーの消費または生成に影響する住宅の設備の一式について、単位温度差あたりの外皮熱損失量、単位日射強度当たりの冷房期間日射熱取得量、および単位日射強度当たりの暖房期間日射熱取得量の組み合わせを説明変数とし、設計一次エネルギー消費量を目標変数とする回帰モデルが算出されるので、所望の設計一次エネルギー消費量となる、住宅の設備の一式と、単位温度差あたりの外皮熱損失量、単位日射強度当たりの冷房期間日射熱取得量、および単位日射強度当たりの暖房期間日射熱取得量の組み合わせとを簡単に知ることができ、これにより、より簡単に、より迅速に、所望の設計一次エネルギー消費量となる、住宅の設備の組み合わせの一式を選択できる。
【００１１】
呼び出しステップにおいて、組み合わせ、住宅の床面積、省エネルギー基準地域区分、年間日射地域区分、および住宅の設備の一式を示す情報から算出される設計一次エネルギー消費量および基準一次エネルギー消費量が取得されるようにすることができる。このようにすることで、一次エネルギー消費量等級をより簡単に判定しつつ、より簡単に、より迅速に、所望の設計一次エネルギー消費量となる、住宅の設備の組み合わせの一式を選択できる。
【００１２】
また、呼び出しステップにおいて、国立研究開発法人建築研究所から提供される判定プログラムが呼び出されるようにすることができる。このようにすることで、より確実に、所望の設計一次エネルギー消費量となる、住宅の設備の組み合わせの一式を選択できる。
【００１３】
呼び出しステップにおいて、ＡＰＩ（Application Programming Interface）によって判定プログラムが呼び出されるようにすることができる。このようにすることで、より簡単に、所望の設計一次エネルギー消費量となる、住宅の設備の組み合わせの一式を選択できる。
【００１４】
第３の取得ステップにおいて、住宅の設備の一式を示す情報が複数取得され、選択ステップおよび呼び出しステップは、住宅の設備の一式を示す情報毎に、生成された組み合わせの数だけ繰り返され、回帰モデル算出ステップにおいて、住宅の設備の一式を示す情報毎に、組み合わせを説明変数とし、設計一次エネルギー消費量を目標変数とする重回帰分析により、回帰モデルが算出されるようにすることができる。このようにすることで、住宅の設備の組み合わせの一式の複数の中から、より簡単に、より迅速に、所望の設計一次エネルギー消費量となる、住宅の設備の組み合わせの一式を選択できる。
【００１５】
本発明の一側面の情報処理方法は、ユーザから指定される、住宅の床面積、並びに住宅の所在地で定まる省エネルギー基準地域区分および年間日射地域区分を取得する第１の取得ステップと、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する第２の取得ステップと、上限値および下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成ステップと、ユーザから指定される、エネルギーの消費または生成に影響する住宅の設備の一式を示す情報を取得する第３の取得ステップと、生成された組み合わせの中から１つの組み合わせを選択する選択ステップと、基準一次エネルギー消費量および設計一次エネルギー消費量を算出して住宅の省エネルギー性能を判定する判定プログラムを呼び出して、選択されている組み合わせと、住宅の床面積、省エネルギー基準地域区分、年間日射地域区分、および住宅の設備の一式を示す情報とを送って、組み合わせ、住宅の床面積、省エネルギー基準地域区分、年間日射地域区分、および住宅の設備の一式を示す情報から算出される設計一次エネルギー消費量を取得する呼び出しステップとを含み、選択ステップおよび呼び出しステップは、生成された組み合わせの数だけ繰り返され、組み合わせを説明変数とし、設計一次エネルギー消費量を目標変数とする重回帰分析により、回帰モデルを算出する回帰モデル算出ステップを更に含む。
【００１６】
エネルギーの消費または生成に影響する住宅の設備の一式について、単位温度差あたりの外皮熱損失量、単位日射強度当たりの冷房期間日射熱取得量、および単位日射強度当たりの暖房期間日射熱取得量の組み合わせを説明変数とし、設計一次エネルギー消費量を目標変数とする回帰モデルが算出されるので、所望の設計一次エネルギー消費量となる、住宅の設備の一式と、単位温度差あたりの外皮熱損失量、単位日射強度当たりの冷房期間日射熱取得量、および単位日射強度当たりの暖房期間日射熱取得量の組み合わせとを簡単に知ることができ、これにより、より簡単に、より迅速に、所望の設計一次エネルギー消費量となる、住宅の設備の組み合わせの一式を選択できる。
【００１７】
本発明の一側面の情報処理装置は、ユーザから指定される、住宅の床面積、並びに住宅の所在地で定まる省エネルギー基準地域区分および年間日射地域区分を取得する第１の取得手段と、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する第２の取得手段と、上限値および下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成手段と、ユーザから指定される、エネルギーの消費または生成に影響する住宅の設備の一式を示す情報を取得する第３の取得手段と、生成された組み合わせの中から１つの組み合わせを所定の順に選択する選択手段と、選択されている組み合わせ毎に、基準一次エネルギー消費量および設計一次エネルギー消費量を算出して住宅の省エネルギー性能を判定する判定プログラムを呼び出して、選択されている組み合わせと、住宅の床面積、省エネルギー基準地域区分、年間日射地域区分、および住宅の設備の一式を示す情報とを送って、組み合わせ、住宅の床面積、省エネルギー基準地域区分、年間日射地域区分、および住宅の設備の一式を示す情報から算出される設計一次エネルギー消費量を取得する呼び出し手段と、組み合わせを説明変数とし、設計一次エネルギー消費量を目標変数とする重回帰分析により、回帰モデルを算出する回帰モデル算出手段とを含む。
【００１８】
エネルギーの消費または生成に影響する住宅の設備の一式について、単位温度差あたりの外皮熱損失量、単位日射強度当たりの冷房期間日射熱取得量、および単位日射強度当たりの暖房期間日射熱取得量の組み合わせを説明変数とし、設計一次エネルギー消費量を目標変数とする回帰モデルが算出されるので、所望の設計一次エネルギー消費量となる、住宅の設備の一式と、単位温度差あたりの外皮熱損失量、単位日射強度当たりの冷房期間日射熱取得量、および単位日射強度当たりの暖房期間日射熱取得量の組み合わせとを簡単に知ることができ、これにより、より簡単に、より迅速に、所望の設計一次エネルギー消費量となる、住宅の設備の組み合わせの一式を選択できる。
【発明の効果】
【００１９】
以上のように、本発明の一側面によれば、所望の設計一次エネルギー消費量となる、住宅の設備の一式と、単位温度差あたりの外皮熱損失量、単位日射強度当たりの冷房期間日射熱取得量、および単位日射強度当たりの暖房期間日射熱取得量の組み合わせとを簡単に知ることができる。
【００２０】
また、本発明の一側面によれば、より簡単に、より迅速に、所望の設計一次エネルギー消費量となる、住宅の設備の組み合わせの一式を選択できる。
【図面の簡単な説明】
【００２１】
【図１】本発明の一実施の形態のパーソナルコンピュータを含む情報処理システムの構成の例を説明する図である。
【図２】パーソナルコンピュータ１１−１のハードウェアの構成の例を示すブロック図である。
【図３】プログラムを実行するパーソナルコンピュータ１１−１において実現される機能の構成の例を示すブロック図である。
【図４】回帰モデルの算出の処理を説明するフローチャートである。
【図５】判定プログラムAPIのアドレスの指定の処理を説明するフローチャートである。
【図６】基準一次エネルギー消費量と設計一次エネルギー消費量の取得の処理を説明するフローチャートである。
【図７】回帰モデルから得られる、単位日射強度当たりの冷房期間日射熱取得量および単位日射強度当たりの暖房期間日射熱取得量の範囲の各値に対する設計一次エネルギー消費量の例を示す図である。
【発明を実施するための形態】
【００２２】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２３】
本発明の一側面のプログラムは、ユーザから指定される、住宅の床面積、並びに住宅の所在地で定まる省エネルギー基準地域区分および年間日射地域区分を取得する第１の取得ステップ（例えば、図４のステップＳ１２の手続き）と、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する第２の取得ステップ（例えば、図４のステップＳ１３の手続き）と、上限値および下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成ステップ（例えば、図４のステップＳ１４の手続き）と、ユーザから指定される、エネルギーの消費または生成に影響する住宅の設備の一式を示す情報を取得する第３の取得ステップ（例えば、図４のステップＳ１５の手続き）と、生成された組み合わせの中から１つの組み合わせを選択する選択ステップ（例えば、図４のステップＳ１７の手続き）と、基準一次エネルギー消費量および設計一次エネルギー消費量を算出して住宅の省エネルギー性能を判定する判定プログラムを呼び出して、選択されている組み合わせと、住宅の床面積、省エネルギー基準地域区分、年間日射地域区分、および住宅の設備の一式を示す情報とを送って、組み合わせ、住宅の床面積、省エネルギー基準地域区分、年間日射地域区分、および住宅の設備の一式を示す情報から算出される設計一次エネルギー消費量を取得する呼び出しステップ（例えば、図４のステップＳ１８の手続き）とを含み、選択ステップおよび呼び出しステップは、生成された組み合わせの数だけ繰り返され、組み合わせを説明変数とし、設計一次エネルギー消費量を目標変数とする重回帰分析により、回帰モデルを算出する回帰モデル算出ステップ（例えば、図４のステップＳ２０の手続き）を更に含む回帰モデル算出処理をコンピュータに行わせる。
【００２４】
本発明の一側面の情報処理方法は、ユーザから指定される、住宅の床面積、並びに住宅の所在地で定まる省エネルギー基準地域区分および年間日射地域区分を取得する第１の取得ステップ（例えば、図４のステップＳ１２の手続き）と、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する第２の取得ステップ（例えば、図４のステップＳ１３の手続き）と、上限値および下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成ステップ（例えば、図４のステップＳ１４の手続き）と、ユーザから指定される、エネルギーの消費または生成に影響する住宅の設備の一式を示す情報を取得する第３の取得ステップ（例えば、図４のステップＳ１５の手続き）と、生成された組み合わせの中から１つの組み合わせを選択する選択ステップ（例えば、図４のステップＳ１７の手続き）と、基準一次エネルギー消費量および設計一次エネルギー消費量を算出して住宅の省エネルギー性能を判定する判定プログラムを呼び出して、選択されている組み合わせと、住宅の床面積、省エネルギー基準地域区分、年間日射地域区分、および住宅の設備の一式を示す情報とを送って、組み合わせ、住宅の床面積、省エネルギー基準地域区分、年間日射地域区分、および住宅の設備の一式を示す情報から算出される設計一次エネルギー消費量を取得する呼び出しステップ（例えば、図４のステップＳ１８の手続き）とを含み、選択ステップおよび呼び出しステップは、生成された組み合わせの数だけ繰り返され、組み合わせを説明変数とし、設計一次エネルギー消費量を目標変数とする重回帰分析により、回帰モデルを算出する回帰モデル算出ステップ（例えば、図４のステップＳ２０の手続き）を更に含む。
【００２５】
本発明の一側面の情報処理装置（例えば、図１のパーソナルコンピュータ１１−１）は、ユーザから指定される、住宅の床面積、並びに住宅の所在地で定まる省エネルギー基準地域区分および年間日射地域区分を取得する第１の取得手段（例えば、図３の床面積・区分取得部８４）と、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する第２の取得手段（例えば、図３の外皮省エネルギー性能値範囲取得部８５）と、上限値および下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成手段（例えば、図３の組み合わせ生成部６３）と、ユーザから指定される、エネルギーの消費または生成に影響する住宅の設備の一式を示す情報を取得する第３の取得手段（例えば、図３の設備組み合わせ情報取得部８６）と、生成された組み合わせの中から１つの組み合わせを所定の順に選択する選択手段（例えば、図３の選択部６５）と、選択されている組み合わせ毎に、基準一次エネルギー消費量および設計一次エネルギー消費量を算出して住宅の省エネルギー性能を判定する判定プログラムを呼び出して、選択されている組み合わせと、住宅の床面積、省エネルギー基準地域区分、年間日射地域区分、および住宅の設備の一式を示す情報とを送って、組み合わせ、住宅の床面積、省エネルギー基準地域区分、年間日射地域区分、および住宅の設備の一式を示す情報から算出される設計一次エネルギー消費量を取得する呼び出し手段（例えば、図３のエネルギー消費量取得部６６）と、組み合わせを説明変数とし、設計一次エネルギー消費量を目標変数とする重回帰分析により、回帰モデルを算出する回帰モデル算出手段（例えば、図３の回帰分析部６７）とを含む。
【００２６】
以下、図１乃至図７を参照して、本発明の一実施の形態のパーソナルコンピュータの例について説明する。
【００２７】
図１は、本発明の一実施の形態のパーソナルコンピュータを含む情報処理システムの構成の例を説明する図である。情報処理システムは、住宅のエネルギーの消費量に関する処理を行う。情報処理システムは、パーソナルコンピュータ１１−１乃至１１−３、およびサーバ１２からなる。パーソナルコンピュータ１１−１乃至１１−３、およびサーバ１２は、インターネット１３により接続されている。パーソナルコンピュータ１１−１乃至１１−３は、それぞれ、ユーザが直接操作できる汎用のコンピュータである。パーソナルコンピュータ１１−１乃至１１−３は、それぞれ、プログラムを実行して、後述する回帰モデルの算出の処理を行う。
【００２８】
パーソナルコンピュータ１１−１は、机の上に置く形状の、いわゆる、デスクトップ型のパーソナルコンピュータである。パーソナルコンピュータ１１−２は、本体、ディスプレイ、およびキーボードをひとつの筐体に収めた、いわゆる、ラップトップ型のパーソナルコンピュータである。パーソナルコンピュータ１１−３は、板状のオールインワン・コンピュータである、いわゆる、タブレット型のパーソナルコンピュータである。
【００２９】
サーバ１２は、計算処理やファイルの格納またはWebページの提供など各種のサービスを、インターネット１３を介してパーソナルコンピュータ１１−１乃至１１−３に提供する。サーバ１２は、専用サーバ、パーソナルコンピュータ、または仮想サーバなどからなる。サーバ１２は、専用サーバ、パーソナルコンピュータ、または仮想サーバなどの組み合わせからなるシステムであっても良い。
【００３０】
サーバ１２は、国立研究開発法人建築研究所が提供する住宅・住戸の省エネルギー性能の判定プログラムを実行する。パーソナルコンピュータ１１−１乃至１１−３は、住宅・住戸の省エネルギー性能の判定プログラムAPI（Application Programming Interface）を利用することで、国立研究開発法人建築研究所が提供する住宅・住戸の省エネルギー性能の判定プログラムを呼び出すことができる。パーソナルコンピュータ１１−１乃至１１−３が、住宅・住戸の省エネルギー性能の判定プログラムAPIを利用して、判定プログラムを呼び出すと、サーバ１２は、判定プログラムを実行して、インターネット１３を介してパーソナルコンピュータ１１−１乃至１１−３から送信されてきた入力データ（図６を参照して後述する入力セット）から基準一次エネルギー消費量と設計一次エネルギー消費量とを算出して、パーソナルコンピュータ１１−１乃至１１−３に送信する。
【００３１】
ここで、国立研究開発法人建築研究所が提供する住宅・住戸の省エネルギー性能の判定プログラムの入力項目と出力項目とについて説明する。
【００３２】
住宅・住戸の省エネルギー性能の判定プログラムの入力項目は、住宅の床面積、並びに省エネルギー基準地域区分および年間日射地域区分と、単位温度差あたりの外皮熱損失量、単位日射強度当たりの冷房期間日射熱取得量、および単位日射強度当たりの暖房期間日射熱取得量と、エネルギーの消費または生成に影響する住宅の設備の一式を示す情報とからなる。
【００３３】
まず、住宅の床面積、並びに省エネルギー基準地域区分および年間日射地域区分について説明する。住宅の床面積は、住宅の間取りで決まる。住宅の間取りが定められれば、住宅の床面積は変化しない。住宅の床面積は、主たる居室、その他の居室、および非居室についてのそれぞれの面積の値から求められる。
【００３４】
省エネルギー基準地域区分および年間日射地域区分は、住宅の所在地で決まる。また、住宅の所在地が定められれば、省エネルギー基準地域区分および年間日射地域区分は変化しない。省エネルギー基準地域区分は、地域の気候特性が反映され、行政単位で１地域から８地域までの区分である。年間日射地域区分は、独立行政法人建築研究所のサイト「住宅・建築物の省エネルギー基準及び低炭素建築物の認定基準に関する技術情報」で公開されている日射地域区分のリストに記されている区分である。
【００３５】
次に、単位温度差あたりの外皮熱損失量、単位日射強度当たりの冷房期間日射熱取得量、および単位日射強度当たりの暖房期間日射熱取得量について説明する。単位温度差あたりの外皮熱損失量（W/K）（以下、q値とも称する。）は、住宅の内部から外部に逃げる熱量のことをいい、外気に接する壁、床、天井及び開口部などからの熱損失の合計である。
【００３６】
単位日射強度当たりの冷房期間日射熱取得量（W/(W/m2)）（以下、mc値とも称する。）は、冷房期の期間において、単位日射強度１に対して室内に侵入する日射量のことをいい、屋根又は天井、外壁、ドアなどの躯体から侵入する日射量と、窓ガラスから侵入する日射量の合計である。単位日射強度当たりの暖房期間日射熱取得量（W/(W/m2)）（以下、mH値とも称する。）は、暖房期の期間において、単位日射強度１に対して室内に侵入する日射量のことをいい、屋根又は天井、外壁、ドアなどの躯体から侵入する日射量と、窓ガラスから侵入する日射量の合計である。
【００３７】
さらに、エネルギーの消費または生成に影響する住宅の設備について説明する。エネルギーの消費または生成に影響する住宅の設備には、通風を利用する設備、蓄熱を利用する設備、床下空間を経由して外気を導入する換気方式の設備、暖房方式・暖房設備機器または放熱器の種別、冷房方式・冷房設備機器の種別、換気設備の方式、給湯熱源機・熱源機の種別、照明設備、および太陽光発電設備などが含まれる。
【００３８】
通風を利用する設備の情報は、主たる居室およびその他の居室のそれぞれについて、換気の代替として、通風を利用するかまたは利用しないかを示す。蓄熱を利用する設備の情報は、住戸に蓄熱材を使用し、室温を安定して保つための蓄熱を利用するかまたは利用しないかを示す。床下空間を経由して外気を導入する換気方式の設備の情報は、床下空間を経由して外気を導入する換気方式を採用するかまたは採用しないかを示す。
【００３９】
暖房方式・暖房設備機器または放熱器の種別の情報は、主たる居室およびその他の居室のそれぞれについて、省エネルギー対策の有無、温水暖房機の種類、敷設率、および床の断熱（上面放熱率）などを示す。暖房方式・暖房設備機器または放熱器の種別の情報には、省エネルギー対策がある場合、暖房設備機器がルームエアコンディショナーであるとき、エネルギー消費効率の区分を示す情報、暖房設備機器がルームエアコンディショナーであるとき、容量可変型コンプレッサーを搭載するかまたは搭載しないかを示す情報、および暖房設備機器がFF（Forced Flue）（強制給排気式）暖房機であるとき、定格能力におけるエネルギーの消費効率を示す情報が含まれる。
【００４０】
温水暖房機の種類を示す情報は、暖房設備機器がパネルラジエーター、温水床暖房、ファンコンベクターである場合、暖房方式・暖房設備機器または放熱器の種別の情報に含まれる。
【００４１】
また、敷設率を示す情報は、暖房設備機器が温水床暖房、電気ヒーター床暖房、ルームエアコンディショナー付温水床暖房機の場合、暖房方式・暖房設備機器または放熱器の種別の情報に含まれる。
【００４２】
床の断熱（上面放熱率）を示す情報は、暖房設備機器が温水床暖房、電気ヒーター床暖房、ルームエアコンディショナー付温水床暖房機の場合、暖房方式・暖房設備機器または放熱器の種別の情報に含まれる。
【００４３】
冷房方式・冷房設備機器の種別の情報は、主たる居室およびその他の居室のそれぞれについて、省エネルギー対策の有無などを示す。冷房方式・冷房設備機器の種別の情報には、省エネルギー対策がある場合、冷房設備機器がルームエアコンディショナーであるとき、エネルギー消費効率の区分を示す情報、冷房設備機器がルームエアコンディショナーであるとき、および容量可変型コンプレッサーを搭載するかまたは搭載しないかを示す情報が含まれる。
【００４４】
換気設備の方式の情報は、省エネルギー対策の有無、換気回数、および第一種換気設備の場合の有効換気量率などを示す。換気設備の方式の情報には、省エネルギー対策がある場合、ダクト式換気設備を設置するとき、採用する省エネルギー手法を示す情報、およびダクト式換気設備を設置するとき、比消費電力を示す情報が含まれる。
【００４５】
給湯熱源機・熱源機の種別の情報は、JIS（Japanese Industrial Standards）（日本工業規格）効率を入力するか入力しないか、電気ヒートポンプ・ガス併用型給湯温水暖房機の場合の熱源構成、給湯専用型の場合のふろ機能の有無および種類、温水のタンク容量、室内または室外などのタンクユニットの設置場所、先分岐方式またはヘッダ方式などの配管方式、「２バルブ水栓」またはサーモスタット湯水混合水栓などの「２バルブ水栓以外のその他の水栓」を示す台所水栓の水栓方式、浴室シャワー水栓の水栓方式、洗面水栓の水栓方式、並びに浴槽の保温措置の有無などを示す。給湯熱源機・熱源機の種別の情報には、JIS効率を入力する場合、給湯部のJIS効率、および給湯・温水暖房一体型の場合、暖房部のJIS効率を示す情報が含まれる。
【００４６】
照明設備の情報は、主たる居室、その他の居室、および非居室のそれぞれについて、設置の有無を示す。照明設備の情報には、照明設備が設置される場合、白熱灯の使用、主たる居室またはその他の居室に設置するとき、多灯分散照明方式を採用するか採用しないか、主たる居室またはその他の居室に設置するとき、調光が可能な制御を採用するか採用しないか、非居室に設置するとき、人感センサーを採用するか採用しないかを示す情報が含まれる。
【００４７】
太陽光発電設備の情報は、方位の異なるパネルの数、太陽電池アレイのシステム容量（kW）、太陽電池アレイの種類、太陽電池アレイ設置方式、パネル設置方位角、パネル設置傾斜角、パワーコンディショナの定格負荷効率などを示す。例えば、方位の異なるパネルの数は、全てのパネルが同じ向きであれば、１とされ、東向きのパネルと南向きのパネルとがあれば、２とされる。太陽電池アレイは、太陽電池モジュールまたは太陽電池パネルを機械的に一体化し、結線した集合体をいう。太陽電池アレイの種類は、「結晶系太陽電池」またはアモルファス太陽電池若しくは多接合太陽電池など「結晶系以外の太陽電池」のいずれかの種類を示す。太陽電池アレイ設置方式は、架台設置形または屋根置き形などを示す。
【００４８】
次に、住宅・住戸の省エネルギー性能の判定プログラムの出力項目について説明する。住宅・住戸の省エネルギー性能の判定プログラムの出力項目は、省エネ基準での基準一次エネルギー消費量および低炭素基準での基準一次エネルギー消費量並びに設計一次エネルギー消費量である。省エネ基準での基準一次エネルギー消費量および低炭素基準での基準一次エネルギー消費量並びに設計一次エネルギー消費量は、平成２５年１月３１日に公布された「エネルギーの使用の合理化に関する建築主等及び特定建築物の所有者の判断の基準」（平成25年経済産業省・国土交通省告示第1号）（最終改正平成25年経済産業省・国土交通省告示第10号）および平成２４年１２月に公布（平成２５年９月に一部改正）された「低炭素建築物の認定基準（建築物に係るエネルギーの使用の合理化の一層の促進その他の建築物の低炭素化の促進のために誘導すべき基準」（平成２４年経済産業省・国土交通省・環境省告示第１１９号）などに定められている。
【００４９】
図１に戻り、インターネット１３は、ネットワークの一例であり、有線または無線の汎用回線または専用回線や、有線または無線の複数のネットワーク、例えば、LAN（Local Area Network）またはWAN（Wide Area Network）などからなる。
【００５０】
以下、パーソナルコンピュータ１１−１乃至１１−３は、情報処理装置の一例であり、同様のハードウェアの構成を有し、同様の処理を行うので、パーソナルコンピュータ１１−２および１１−３についての詳細の説明は省略し、パーソナルコンピュータ１１−１を例に説明する。
【００５１】
図２は、パーソナルコンピュータ１１−１のハードウェアの構成の例を示すブロック図である。
【００５２】
パーソナルコンピュータ１１−１において、CPU（Central Processing Unit）３１，ROM（Read Only Memory）３２，RAM（Random Access Memory）３３は、バス３４により相互に接続されている。
【００５３】
バス３４には、さらに、入出力インタフェース３５が接続されている。入出力インタフェース３５には、キーボード、マウス、タッチパッド、マイクロホンなどよりなる入力部３６、ディスプレイ、スピーカなどよりなる出力部３７、ハードディスクや不揮発性のメモリなどよりなる記憶部３８、ネットワークインタフェースなどよりなる通信部３９、磁気ディスク、光ディスク、光磁気ディスク、或いは半導体メモリなどのリムーバブルメディア４１を駆動するドライブ４０が接続されている。
【００５４】
以上のように構成されるパーソナルコンピュータ１１−１（コンピュータ）では、CPU３１が、例えば、記憶部３８に記憶されているプログラムを、入出力インタフェース３５及びバス３４を介して、RAM３３にロードして実行することにより、後述する一連の処理が行われる。
【００５５】
パーソナルコンピュータ１１−１（CPU３１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア４１に記録して、あるいは、ローカルエリアネットワーク、インターネット１２、デジタル衛星放送といった、有線または無線の伝送媒体を介して提供される。
【００５６】
そして、プログラムは、リムーバブルメディア４１をドライブ４０に装着することにより、入出力インタフェース３５を介して、記憶部３８に記憶することで、コンピュータにインストールすることができる。また、プログラムは、有線または無線の伝送媒体を介して、通信部３９で受信し、記憶部３８に記憶することで、コンピュータにインストールすることができる。その他、プログラムは、ROM３２や記憶部３８にあらかじめ記憶しておくことで、コンピュータにあらかじめインストールしておくことができる。
【００５７】
図３は、プログラムを実行するパーソナルコンピュータ１１−１において実現される機能の構成の例を示すブロック図である。すなわち、パーソナルコンピュータ１１−１がプログラムを実行すると、APIアドレス指定部６１、入力値取得部６２、組み合わせ生成部６３、判定部６４、選択部６５、エネルギー消費量取得部６６、回帰分析部６７、およびテーブル６８が実現される。
【００５８】
APIアドレス指定部６１は、国立研究開発法人建築研究所が提供する住宅・住戸の省エネルギー性能の判定プログラムの判定プログラムAPIのアドレスの指定の処理を行う。入力値取得部６２は、入力部３６へのユーザの操作によって入力される、住宅・住戸の省エネルギー性能の判定プログラムに送信する値などの各種の値を取得する。組み合わせ生成部６３は、入力値取得部６２によって取得された値のうち、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの範囲から、単位温度差あたりの外皮熱損失量、単位日射強度当たりの冷房期間日射熱取得量、および単位日射強度当たりの暖房期間日射熱取得量のそれぞれの範囲内の値から、１つずつの値を組み合わせて組み合わせを生成する。
【００５９】
判定部６４は、回帰モデルの算出の処理における、手続きの繰り返しのための条件を判定する。選択部６５は、エネルギーの消費または生成に影響する住宅・住戸の設備の組み合わせの一式を示す情報であって、１つまたは複数取得された情報からいずれかを選択する。また、選択部６５は、組み合わせ生成部６３で生成された、単位温度差あたりの外皮熱損失量、単位日射強度当たりの冷房期間日射熱取得量、および単位日射強度当たりの暖房期間日射熱取得量のそれぞれの範囲内の値から、１つずつの値が組み合わされた組み合わせからいずれかを選択する。
【００６０】
エネルギー消費量取得部６６は、国立研究開発法人建築研究所が提供する住宅・住戸の省エネルギー性能の判定プログラムを呼び出して、単位温度差あたりの外皮熱損失量、単位日射強度当たりの冷房期間日射熱取得量、および単位日射強度当たりの暖房期間日射熱取得量のそれぞれの値の組み合わせの内の、選択されている組み合わせと、住宅の床面積、省エネルギー基準地域区分、年間日射地域区分、および住宅の設備の一式を示す情報とを判定プログラムに送る。エネルギー消費量取得部６６は、判定プログラムから送信されてくる、組み合わせ、住宅の床面積、省エネルギー基準地域区分、年間日射地域区分、および住宅の設備の一式を示す情報から算出される基準一次エネルギー消費量および設計一次エネルギー消費量を取得する。
【００６１】
回帰分析部６７は、エネルギーの消費または生成に影響する住宅・住戸の設備の組み合わせの一式に対して、単位温度差あたりの外皮熱損失量、単位日射強度当たりの冷房期間日射熱取得量、および単位日射強度当たりの暖房期間日射熱取得量の値を説明変数（独立変数）とし、設計一次エネルギー消費量を目的変数（従属変数）とする重回帰分析により、回帰モデルを求める。より具体的には、回帰分析部６７は、エネルギーの消費または生成に影響する住宅・住戸の設備の組み合わせの一式を規定した場合の式（１）における係数a、係数b、係数c、および係数dを求める。
設計一次エネルギー消費量=a×単位温度差あたりの外皮熱損失量
+b×単位日射強度当たりの冷房期間日射熱取得量
+c×単位日射強度当たりの暖房期間日射熱取得量
+d
・・・式（１）
【００６２】
テーブル６８は、住宅の間取りと所在地で定まる、床面積、省エネルギー基準地域区分、および年間日射地域区分を示す値、単位温度差あたりの外皮熱損失量、単位日射強度当たりの冷房期間日射熱取得量、および単位日射強度当たりの暖房期間日射熱取得量のそれぞれの範囲、組み合わせ生成部６３で生成された組み合わせを示す値、エネルギーの消費または生成に影響する住宅・住戸の設備の組み合わせの一式のそれぞれを示す値、判定プログラムから取得された基準一次エネルギー消費量および設計一次エネルギー消費量、回帰分析部６７で求められた回帰モデルを示す値などを編集自在および読取自在に格納する。
【００６３】
APIアドレス指定部６１は、ホスト名取得部８１、IP（Internet Protocol）アドレス取得部８２、およびパス取得部８３を含む。ホスト名取得部８１は、国立研究開発法人建築研究所が提供する住宅・住戸の省エネルギー性能の判定プログラムの判定プログラムAPIの存在するサーバ１２のホスト名を取得する。IPアドレス取得部８２は、DNS（Domain Name System）などにより、判定プログラムAPIの存在するサーバ１２のホスト名から、IPアドレスを取得する。この場合、取得されるIPアドレスは、サーバ１２のIPアドレスを示す。パス取得部８３は、判定プログラムAPIの存在するディレクトリ（フォルダ）を示すパスを取得する。パスは、記録媒体（記憶媒体）に記録・記憶されているファイルを管理するためのファイルシステムにおいて、階層構造を有するディレクトリを指定する。
【００６４】
入力値取得部６２は、床面積・区分取得部８４、外皮省エネルギー性能値範囲取得部８５、および設備組み合わせ情報取得部８６を含む。床面積・区分取得部８４は、ユーザによって指定される、住宅の床面積、並びに省エネルギー基準地域区分および年間日射地域区分を取得する。すなわち、床面積・区分取得部８４は、キーボード、マウス、またはタッチパッドなどの入力部３６へのユーザの操作によって入力される、主たる居室、その他の居室、および非居室についてのそれぞれの面積の値から住宅の床面積を取得する。
【００６５】
また、床面積・区分取得部８４は、キーボード、マウス、またはタッチパッドなどの入力部３６へのユーザの操作によって入力される住所と、住所と区分とを対応付けて示す省エネルギー基準地域区分および年間日射地域区のリストとから、省エネルギー基準地域区分および年間日射地域区分を取得する。または、床面積・区分取得部８４は、キーボード、マウス、またはタッチパッドなどの入力部３６へのユーザの操作によって直接入力される、省エネルギー基準地域区分および年間日射地域区分を取得する。
【００６６】
外皮省エネルギー性能値範囲取得部８５は、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する。
【００６７】
例えば、外皮省エネルギー性能値範囲取得部８５は、キーボード、マウス、またはタッチパッドなどの入力部３６へのユーザの操作によってフィールド（テキストボックス）に入力される上限値の値および下限値の値を取得する。また、例えば、外皮省エネルギー性能値範囲取得部８５は、キーボード、マウス、またはタッチパッドなどの入力部３６へのユーザの操作によってフィールドに入力される上限値の値および範囲の幅の値、下限値の値および範囲の幅の値、または中央値の値および範囲の幅の値を取得することで、範囲の上限値および下限値を取得する。
【００６８】
さらにまた、例えば、外皮省エネルギー性能値範囲取得部８５は、ディスプレイである出力部３７に表示されているスライダ、スピンボタン、ラジオボタン、チェックボックス、ドロップダウンリスト、コンボボックス、またはビジュアル的に範囲を指定するパネルなどに対するキーボード、マウス、またはタッチパッドなどの入力部３６への操作によってユーザから入力される値から、範囲の上限値および下限値を取得するようにしてもよいし、マイクなどの入力部３６から音声により入力される範囲の上限値および下限値を取得するようにしてもよい。
【００６９】
外皮省エネルギー性能値範囲取得部８５は、初期値設定部１０１を含む。初期値設定部１０１は、予め記憶している、単位温度差あたりの外皮熱損失量、単位日射強度当たりの冷房期間日射熱取得量、および単位日射強度当たりの暖房期間日射熱取得量のそれぞれの値の範囲の値を初期値として、外皮省エネルギー性能値範囲取得部８５に設定する。外皮省エネルギー性能値範囲取得部８５は、初期値設定部１０１により設定された値を初期値として入力部３６であるディスプレイに表示させて、初期値をそのまま範囲の上限値および下限値として取得するか、またはユーザの操作によって初期値から変更された値を範囲の上限値および下限値として取得する。
【００７０】
設備組み合わせ情報取得部８６は、ディスプレイである出力部３７に表示されているフィールド（テキストボックス）、スライダ、スピンボタン、ラジオボタン、チェックボックス、ドロップダウンリスト、コンボボックス、またはビジュアル的に範囲を指定するパネルなどに対するキーボード、マウス、またはタッチパッドなどの入力部３６への操作によってユーザから入力される値から、エネルギーの消費または生成に影響する住宅の設備の一式を示す情報を取得する。
【００７１】
エネルギー消費量取得部６６は、接続部８７、送信部８８、受信部８９、および解析部９０を含む。接続部８７は、APIアドレス指定部６１で取得された、国立研究開発法人建築研究所が提供する住宅・住戸の省エネルギー性能の判定プログラムの判定プログラムAPIのIPアドレス（サーバ１２のIPアドレス）およびパスからソケットを作成し、判定プログラムAPIに接続する。
【００７２】
送信部８８は、接続された判定プログラムAPIに、単位温度差あたりの外皮熱損失量、単位日射強度当たりの冷房期間日射熱取得量、および単位日射強度当たりの暖房期間日射熱取得量のそれぞれの値の組み合わせの内の、選択されている組み合わせと、住宅の床面積、省エネルギー基準地域区分、年間日射地域区分、および住宅の設備の一式を示す情報とを送信する。
【００７３】
サーバ１２で実行されている判定プログラムは、判定プログラムAPIを介して、単位温度差あたりの外皮熱損失量、単位日射強度当たりの冷房期間日射熱取得量、および単位日射強度当たりの暖房期間日射熱取得量のそれぞれの値の組み合わせの内の、選択されている組み合わせと、住宅の床面積、省エネルギー基準地域区分、年間日射地域区分、および住宅の設備の一式を示す情報が送信されてくると、住宅・住戸の省エネルギー性能の判定の処理を行い、送信されてきた情報から算出される、省エネ基準での基準一次エネルギー消費量および低炭素基準での基準一次エネルギー消費量並びに設計一次エネルギー消費量を含む処理結果を送信してくる。
【００７４】
受信部８９は、判定プログラムAPIを介して判定プログラムから送信されてくる、処理結果を受信する。解析部９０は、判定プログラムから得られた処理結果を解析して、基準一次エネルギー消費量と設計一次エネルギー消費量とを得る。
【００７５】
次に、図４のフローチャートを参照して、プログラムを実行するパーソナルコンピュータ１１−１によって行われる回帰モデルの算出の処理を説明する。ステップＳ１１において、APIアドレス指定部６１は、判定プログラムAPIのアドレスの指定の処理を行う。
【００７６】
図５は、判定プログラムAPIのアドレスの指定の処理の詳細を説明するフローチャートである。ステップＳ３１において、APIアドレス指定部６１のホスト名取得部８１は、ユーザにより操作されるキーボードまたはマウス、タッチパッドなどの入力部３６からの信号を取得することにより、ユーザから入力されるURL（Uniform Resource Locator）方式で表されるホスト名であって、国立研究開発法人建築研究所が提供する住宅・住戸の省エネルギー性能の判定プログラムの判定プログラムAPIの存在するサーバ１２のホスト名を取得する。
【００７７】
ステップＳ３２において、APIアドレス指定部６１は、ホスト名がnull（空）であるか否かにより、ステップＳ３１の手続きにおいて、ホスト名が取得できたか否かを判定する。ステップＳ３２において、ホスト名が取得できなかったと判定された場合、手続きはステップＳ３３に進み、APIアドレス指定部６１は、サーバのホスト名をhttp://house.app.lowenergy.jpとして、手続きは、ステップＳ３４に進む。
【００７８】
一方、ステップＳ３２において、ホスト名が取得できたと判定された場合、ステップＳ３３の手続きはスキップされて、手続きは、ステップＳ３４に進む。
【００７９】
ステップＳ３４において、APIアドレス指定部６１のIPアドレス取得部８２は、インターネット１３を介してDNSサーバにアクセスして、ステップＳ３１またはステップＳ３３で得たホスト名から、そのホスト（この場合、サーバ１２）のIPアドレスを取得する。ステップＳ３５において、APIアドレス指定部６１のパス取得部８３は、ユーザにより操作されるキーボードまたはマウス、タッチパッドなどの入力部３６からの信号を取得することにより、ユーザから入力されるパスであって、国立研究開発法人建築研究所が提供する住宅・住戸の省エネルギー性能の判定プログラムの判定プログラムAPIのディレクトリ（またはフォルダ）を示すパスを取得する。
【００８０】
ステップＳ３６において、APIアドレス指定部６１は、パスがnull（空）であるか否かにより、ステップＳ３５の手続きにおいて、パスが取得できたか否かを判定する。ステップＳ３６において、パスが取得できなかったと判定された場合、手続きはステップＳ３７に進み、APIアドレス指定部６１は、パスを/api/v1/evalとして、判定プログラムAPIのIPアドレスおよびパスが指定されたので、判定プログラムAPIのアドレスの指定の処理は終了し、回帰モデルの算出の処理に戻る。
【００８１】
一方、ステップＳ３６において、パスが取得できたと判定された場合、判定プログラムAPIのIPアドレスおよびパスが指定されたので、ステップＳ３７の手続きはスキップされて、回帰モデルの算出の処理に戻る。
【００８２】
図４に戻り、ステップＳ１２において、入力値取得部６２の床面積・区分取得部８４は、ユーザにより操作されるキーボードまたはマウス、タッチパッドなどの入力部３６からの信号を取得することにより、ユーザから入力される、住宅の床面積、並びに省エネルギー基準地域区分および年間日射地域区分を取得する。床面積・区分取得部８４は、住宅の床面積、並びに省エネルギー基準地域区分および年間日射地域区分を変数Ａとする。
【００８３】
ステップＳ１３において、入力値取得部６２の外皮省エネルギー性能値範囲取得部８５は、ユーザにより操作されるキーボードまたはマウス、タッチパッドからの信号を取得することにより、ユーザから入力される範囲であって、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲を取得する。すなわち、ステップＳ１３において、外皮省エネルギー性能値範囲取得部８５は、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する。
【００８４】
ステップＳ１４において、組み合わせ生成部６３は、ステップＳ１３の手続きで取得された、単位温度差あたりの外皮熱損失量、単位日射強度当たりの冷房期間日射熱取得量、および単位日射強度当たりの暖房期間日射熱取得量のそれぞれの範囲内の値から、１つずつの値を組み合わせて組み合わせを生成する。ステップＳ１４において、組み合わせ生成部６３は、複数の組み合わせを生成する。例えば、組み合わせ生成部６３は、単位温度差あたりの外皮熱損失量、単位日射強度当たりの冷房期間日射熱取得量、および単位日射強度当たりの暖房期間日射熱取得量のそれぞれの上限値および下限値を組み合わせて組み合わせを生成する。
【００８５】
また、例えば、組み合わせ生成部６３は、単位温度差あたりの外皮熱損失量、単位日射強度当たりの冷房期間日射熱取得量、および単位日射強度当たりの暖房期間日射熱取得量のそれぞれの上限値、下限値、および中央値を組み合わせて組み合わせを生成する。さらに、例えば、組み合わせ生成部６３は、単位温度差あたりの外皮熱損失量、単位日射強度当たりの冷房期間日射熱取得量、および単位日射強度当たりの暖房期間日射熱取得量のそれぞれの範囲を示す上限値から下限値までを、３または４などの所定の数に等間隔に分割して、上限値および下限値と分割の境界の値とを組み合わせて組み合わせを生成する。
【００８６】
ステップＳ１５において、入力値取得部６２の設備組み合わせ情報取得部８６は、ユーザにより操作されるキーボードまたはマウス、タッチパッドなどの入力部３６からの信号を取得することにより、ユーザから入力される情報であって、エネルギーの消費または生成に影響する住宅の設備の組み合わせの一式を示す情報を１つまたは複数取得する。
【００８７】
ステップＳ１２乃至ステップＳ１５で取得された情報および生成された情報は、相互に対応付けられてテーブル６８に格納される。
【００８８】
ステップＳ１６において、選択部６５は、ステップＳ１５の手続きで取得された住宅の設備の組み合わせの一式を示す情報のうちの１つを選択し、変数Ｃｓｅｌとする。例えば、選択部６５は、テーブル６８から、ステップＳ１５の手続きで取得された住宅の設備の一式を示す情報のうちの１つを、取得された順に選択するか、またはランダムに選択する。また、選択部６５は、テーブル６８に、選択した住宅の設備の一式を示す情報について、変数Ｃｓｅｌとして選択されたことを示すフラグまたは所定の値の変数を格納する。
【００８９】
ステップＳ１７において、選択部６５は、ステップＳ１４の手続きで生成された、単位温度差あたりの外皮熱損失量、単位日射強度当たりの冷房期間日射熱取得量、および単位日射強度当たりの暖房期間日射熱取得量の値の組み合わせのうちの１つを選択し、変数Ｂｓｅｌとする。例えば、選択部６５は、テーブル６８から、組み合わせのうちの１つを昇順、降順、またはランダムに選択する。また、選択部６５は、テーブル６８に、選択した組み合わせについて、変数Ｂｓｅｌとして選択されたことを示すフラグまたは所定の値の変数を格納する。
【００９０】
ステップＳ１８において、エネルギー消費量取得部６６は、基準一次エネルギー消費量と設計一次エネルギー消費量の取得の処理を行う。
【００９１】
図６は、基準一次エネルギー消費量と設計一次エネルギー消費量の取得の処理の詳細を説明するフローチャートである。ステップＳ５１において、エネルギー消費量取得部６６の接続部８７は、判定プログラムAPIのアドレスの指定の処理で得られた、判定プログラムAPIのIPアドレス（サーバ１２のIPアドレス）およびパスから、TCP（Transmission Control Protocol）/IPアクセスするためのソケットを作成し、ネットワークインタフェースよりなる通信部３９を制御して、インターネット１３を介して判定プログラムAPI（のIPアドレス）に接続する。
【００９２】
ステップＳ５２において、エネルギー消費量取得部６６の送信部８８は、ネットワークインタフェースよりなる通信部３９を制御して、インターネット１３を介して、ソケットによって接続された判定プログラムAPIに変数Ａ、変数Ｂｓｅｌ、および変数Ｃｓｅｌからなる入力セットを送信する。すなわち、送信部８８は、通信部３９に、判定プログラムAPIを介して、判定プログラムに変数Ａ、変数Ｂｓｅｌ、および変数Ｃｓｅｌからなる入力セットを送信させる。
【００９３】
判定プログラムは、判定プログラムAPIを介して、住宅の床面積、省エネルギー基準地域区分、および年間日射地域区分を示す変数Ａ、単位温度差あたりの外皮熱損失量、単位日射強度当たりの冷房期間日射熱取得量、および単位日射強度当たりの暖房期間日射熱取得量のそれぞれの値の組み合わせである変数Ｂｓｅｌ、並びに住宅の設備の一式を示す変数Ｃｓｅｌからなる入力セットが送信されてくると、入力セットについて住宅・住戸の省エネルギー性能の判定の処理を行い、省エネ基準での基準一次エネルギー消費量および低炭素基準での基準一次エネルギー消費量並びに設計一次エネルギー消費量を含む処理結果をXML（Extensible Markup Language）方式で送信してくるので、ステップＳ５３において、エネルギー消費量取得部６６の受信部８９は、ネットワークインタフェースよりなる通信部３９を制御して、判定プログラムAPIを介して判定プログラムから送信されてくる、処理結果を受信する。すなわち、受信部８９は、判定プログラムAPIを介して判定プログラムから送信されてくる、処理結果を通信部３９に受信させる。
【００９４】
ステップＳ５４において、エネルギー消費量取得部６６の解析部９０は、判定プログラムAPIを介して判定プログラムから得られた処理結果をパース（解析）して、基準一次エネルギー消費量（省エネ基準での基準一次エネルギー消費量および低炭素基準での基準一次エネルギー消費量）と設計一次エネルギー消費量とを得て、基準一次エネルギー消費量と設計一次エネルギー消費量の取得の処理は終了し、回帰モデルの算出の処理に戻る。
【００９５】
図４に戻り、ステップＳ１９において、判定部６４は、テーブル６８を参照して、ステップＳ１４の手続きで生成された、単位温度差あたりの外皮熱損失量、単位日射強度当たりの冷房期間日射熱取得量、および単位日射強度当たりの暖房期間日射熱取得量の値の組み合わせにおいて、変数Ｂｓｅｌとして選択されていない組み合わせがあるか否かを判定する。ステップＳ１９において、生成された組み合わせに変数Ｂｓｅｌとして選択されていない組み合わせがあると判定された場合、手続きはステップＳ１７に戻り、上述した処理が繰り返される。
【００９６】
ステップＳ１９において、生成された組み合わせに選択されていない組み合わせがないと判定された場合、手続きはステップＳ２０に進み、回帰分析部６７は、変数Ｃｓｅｌとして選択されている住宅・住戸の設備の組み合わせの一式に対して、単位温度差あたりの外皮熱損失量、単位日射強度当たりの冷房期間日射熱取得量、および単位日射強度当たりの暖房期間日射熱取得量の値を説明変数（独立変数）とし、設計一次エネルギー消費量を目的変数（従属変数）とする重回帰分析により、式（１）に示される回帰モデルを求める。回帰分析部６７は、テーブル６８に、変数Ｃｓｅｌとして選択されている住宅・住戸の設備の組み合わせの一式に対応付けて、求められた回帰モデルの値を格納する。すなわち、回帰分析部６７は、テーブル６８に、変数Ｃｓｅｌとして選択されている住宅・住戸の設備の組み合わせの一式に対応付けて、式（１）における係数a、係数b、係数c、および係数dを格納する。
【００９７】
ステップＳ２１において、判定部６４は、テーブル６８を参照して、ステップＳ１５の手続きで取得された住宅の設備の一式を示す情報において、変数Ｃｓｅｌとして選択されていない組み合わせを示す情報があるか否かを判定する。ステップＳ２１において、取得された住宅の設備の組み合わせの一式を示す情報において、変数Ｃｓｅｌとして選択されていない組み合わせを示す情報があると判定された場合、手続きはステップＳ１６に戻り、上述した処理が繰り返される。
【００９８】
ステップＳ２１において、取得された住宅の設備の組み合わせの一式を示す情報において、変数Ｃｓｅｌとして選択されていない組み合わせを示す情報がないと判定された場合、回帰モデルの算出の処理は終了する。
【００９９】
このように、住宅の設備の組み合わせの一式のそれぞれに対して、単位温度差あたりの外皮熱損失量、単位日射強度当たりの冷房期間日射熱取得量、および単位日射強度当たりの暖房期間日射熱取得量の値の組み合わせが１回ずつ選択されて、住宅の設備の組み合わせの一式と単位温度差あたりの外皮熱損失量、単位日射強度当たりの冷房期間日射熱取得量、および単位日射強度当たりの暖房期間日射熱取得量の値の組み合わせとに対して、基準一次エネルギー消費量（省エネ基準での基準一次エネルギー消費量および低炭素基準での基準一次エネルギー消費量）と設計一次エネルギー消費量とが求められ、住宅・住戸の設備の組み合わせの一式に対して、単位温度差あたりの外皮熱損失量、単位日射強度当たりの冷房期間日射熱取得量、および単位日射強度当たりの暖房期間日射熱取得量の値を説明変数とし、設計一次エネルギー消費量を目的変数とする回帰モデルが求められる。
【０１００】
例えば、住宅の設備の組み合わせの一式について、単位温度差あたりの外皮熱損失量、単位日射強度当たりの冷房期間日射熱取得量、および単位日射強度当たりの暖房期間日射熱取得量の値の組み合わせを2501個生成し、a×単位温度差あたりの外皮熱損失量である項を固定し、420.43×mC値−438.32×mH値＋87808.44とした回帰モデルが得られた場合、図７に示されるように、単位日射強度当たりの冷房期間日射熱取得量および単位日射強度当たりの暖房期間日射熱取得量の範囲の各値に対する設計一次エネルギー消費量を簡単に得ることができる。
【０１０１】
従って、様々な冷暖房設備や給湯設備を導入した場合、どのように設計一次エネルギー消費量が変化するかを簡単に比較検討することができる。言い換えれば、単位温度差あたりの外皮熱損失量、単位日射強度当たりの冷房期間日射熱取得量、および単位日射強度当たりの暖房期間日射熱取得量の値の組み合わせに相当する断面を統合することで、設計一次エネルギー消費量のモデルの全体像を把握することができる。この場合、住宅の設備の組み合わせの一式の数は、断面の数を表すことになる。
【０１０２】
このように、所望の設計一次エネルギー消費量となる、住宅の設備の一式と、単位温度差あたりの外皮熱損失量、単位日射強度当たりの冷房期間日射熱取得量、および単位日射強度当たりの暖房期間日射熱取得量の組み合わせとを簡単に知ることができる。
【０１０３】
また、これにより、より簡単に、より迅速に、所望の設計一次エネルギー消費量となる、住宅の設備の組み合わせの一式を選択できる。
【０１０４】
なお、パーソナルコンピュータ１１−１乃至１１−３およびサーバ１２は、インターネット１３に限らず、企業のオフィス等を接続するための専用のネットワークや通信回線で接続してもよい。
【０１０５】
また、国立研究開発法人建築研究所が提供する住宅・住戸の省エネルギー性能の判定プログラムと同様の処理を行うプログラムをパーソナルコンピュータ１１−１が実行して、呼び出すようにしてもよい。
【０１０６】
なお、各種のデータがテーブル６８に格納されると説明したが、配列であっても、データベースであっても、良い。
【０１０７】
以上のように、パーソナルコンピュータ１１−１が実行するプログラムは、ユーザから指定される、住宅の床面積、並びに住宅の所在地で定まる省エネルギー基準地域区分および年間日射地域区分を取得する第１の取得ステップの一例である図４のステップＳ１２の手続きと、住宅の外皮の省エネルギー性能を示す値である、単位温度差あたりの外皮熱損失量、単位日射強度当たりの冷房期間日射熱取得量、および単位日射強度当たりの暖房期間日射熱取得量のそれぞれの値の範囲であって、ユーザから指定される範囲の上限値および下限値を取得する第２の取得ステップの一例である図４のステップＳ１３の手続きと、上限値および下限値で示されるそれぞれの範囲内の、単位温度差あたりの外皮熱損失量、単位日射強度当たりの冷房期間日射熱取得量、および単位日射強度当たりの暖房期間日射熱取得量のそれぞれ少なくとも２つの値から、１つずつの値を組み合わせて複数の組み合わせを生成する組み合わせ生成ステップの一例である図４のステップＳ１４の手続きと、ユーザから指定される、エネルギーの消費または生成に影響する住宅の設備の一式を示す情報を取得する第３の取得ステップの一例である図４のステップＳ１５の手続きと、生成された組み合わせの中から１つの組み合わせを選択する選択ステップの一例である図４のステップＳ１７の手続きと、基準一次エネルギー消費量および設計一次エネルギー消費量を算出して住宅の省エネルギー性能を判定する判定プログラムを呼び出して、選択されている組み合わせと、住宅の床面積、省エネルギー基準地域区分、年間日射地域区分、および住宅の設備の一式を示す情報とを送って、組み合わせ、住宅の床面積、省エネルギー基準地域区分、年間日射地域区分、および住宅の設備の一式を示す情報から算出される設計一次エネルギー消費量を取得する呼び出しステップの一例である図４のステップＳ１８の手続きとを含み、ステップＳ１７の手続きおよびステップＳ１８の手続きは、生成された組み合わせの数だけ繰り返され、組み合わせを説明変数とし、設計一次エネルギー消費量を目標変数とする重回帰分析により、回帰モデルを算出する回帰モデル算出ステップの一例である図４のステップＳ２０の手続きを更に含む回帰モデル算出処理をパーソナルコンピュータ１１−１に行わせる。
【０１０８】
図４のステップＳ１８の手続きにおいて、組み合わせ、住宅の床面積、省エネルギー基準地域区分、年間日射地域区分、および住宅の設備の一式を示す情報から算出される設計一次エネルギー消費量および基準一次エネルギー消費量が取得されるようにすることができる。このようにすることで、一次エネルギー消費量等級をより簡単に判定しつつ、より簡単に、より迅速に、所望の設計一次エネルギー消費量となる、住宅の設備の組み合わせの一式を選択できる。
【０１０９】
また、図４のステップＳ１８の手続きにおいて、国立研究開発法人建築研究所から提供される判定プログラムが呼び出されるようにすることができる。このようにすることで、より確実に、所望の設計一次エネルギー消費量となる、住宅の設備の組み合わせの一式を選択できる。
【０１１０】
さらにまた、図４のステップＳ１８の手続きにおいて、ＡＰＩによって判定プログラムが呼び出されるようにすることができる。このようにすることで、より簡単に、所望の設計一次エネルギー消費量となる、住宅の設備の組み合わせの一式を選択できる。
【０１１１】
図４のステップＳ１５の手続きにおいて、住宅の設備の一式を示す情報が複数取得され、図４のステップＳ１７およびステップＳ１８の手続きは、住宅の設備の一式を示す情報毎に、生成された組み合わせの数だけ繰り返され、図４のステップＳ２０の手続きにおいて、住宅の設備の一式を示す情報毎に、組み合わせを説明変数とし、設計一次エネルギー消費量を目標変数とする重回帰分析により、回帰モデルが算出されるようにすることができる。このようにすることで、住宅の設備の組み合わせの一式の複数の中から、より簡単に、より迅速に、所望の設計一次エネルギー消費量となる、住宅の設備の組み合わせの一式を選択できる。
【０１１２】
なお、本発明の実施の形態は、上述した実施の形態に限定されるものではなく、本発明の要旨を逸脱しない範囲において種々の変更が可能である。
【符号の説明】
【０１１３】
１１−１乃至１１−３  パーソナルコンピュータ，  １２  サーバ，  １３  インターネット，  ３１  CPU，  ３２  ROM，  ３３  RAM，  ３６  入力部，  ３８  記憶部，  ３９  通信部，  ４１  リムーバブルメディア，  ６１  APIアドレス指定部，  ６２  入力値取得部，  ６３  組み合わせ生成部，  ６４  判定部，  ６５  選択部，  ６６  エネルギー消費量取得部，  ６７  回帰分析部，  ６８  テーブル，  ８１  ホスト名取得部，  ８２  IPアドレス取得部，  ８３  パス取得部，  ８４  床面積・区分取得部，  ８５  外皮省エネルギー性能値範囲取得部，  ８６  設備組み合わせ情報取得部，  ８７  接続部，  ８８  送信部，  ８９  受信部，  ９０  解析部，  １０１  初期値設定部
【図１】
2017134478.tif 000003
【図２】
2017134478.tif 000004
【図３】
2017134478.tif 000005
【図４】
2017134478.tif 000006
【図５】
2017134478.tif 000007
【図６】
2017134478.tif 000008
【図７】
2017134478.tif 000009